(57)【要約】【課題】器具への取り付けの際、過度に口金が回転することなく、リード線絡みによる排気管破損を防止することのできる環形蛍光ランプを得ることを目的とする。【解決手段】環形蛍光ランプ１は、発光管２の両端部４，５を覆いかつ跨いで口金１６が装着されている。発光管２の端部４の外周面には、チャッキング溝とは別に、発光管２の管軸と交差する方向に途切れた溝３が形成されている。口金１６は、第一の口金部材１７および第二の口金部材１８からなる。一対の口金部材１７，１８は発光管２の環形状に相応して湾曲された形状を有し、第一の口金部材１７の内面には、発光管２の端部の溝３に嵌合されることによって、発光管２端部に装着した口金１６が過度に回転するのを防止するための凸部２１が設けられている。【選択図】　図６
2004039423.tif 000002
【特許請求の範囲】
【請求項１】
内部に一対の電極を有する環形発光管と、前記環形発光管の両端部を跨いで設けられた前記環形発光管の環形状に相応して湾曲した口金とを有する環形蛍光ランプにおいて、前記口金の回転範囲を所定角度に規定する手段として、前記環形発光管の端部の周面に、前記環形発光管の管軸と交差する方向に延び、かつ所定の長さで途切れた溝を有するとともに、前記口金の内面に凸部を有し、前記凸部が前記溝と嵌合して設けられていることを特徴とする環形蛍光ランプ。
【請求項２】
前記溝は、前記環形発光管端部における外周長の４分の１の長さを有することを特徴とする請求項１記載の環形蛍光ランプ。
【発明の詳細な説明】
【０００１】
【発明の属する技術分野】
本発明は、環形蛍光ランプの口金構造に関するものである。
【０００２】
【従来の技術】
近年、環形蛍光ランプとして、例えば管外径が１６ｍｍという細形発光管からなるいわゆるＴ５タイプの環形蛍光ランプが開発・展開されている。これは、管外径が２９ｍｍの従来のＴ８タイプと比べて、細管化のほかにランプ効率も改善された省資源・省エネの環形蛍光ランプであり、これからの普及が期待されている。
【０００３】
上記Ｔ５タイプの環形蛍光ランプにおいて、発光管の構成は、管外径が異なるほかは、基本的に従来のＴ８タイプと同様である。すなわち、発光管は、容器が環形にベンディング成形加工されたガラス管からなり、管両端部のそれぞれにタングステンフィラメントコイル電極を保持した一対のリード線が気密封止されている。ここで、管両端部の少なくともいずれかには、発光管の排気管が前記一対のリード線に隣接して封着されている。そして、管内表面の主要部には蛍光体が塗布され、管内には水銀と緩衝ガスとしてのアルゴン等の希ガスが封入されている。
【０００４】
一方、完成ランプは、発光管端部にいわゆる図７，図８に示すようにＧＺ１０ｑタイプの環形蛍光ランプ用の口金（口金部材２３，２４）が併合されて装着される。ここで、口金の構成も、形状寸法こそ異なるほかは、基本的に従来のＴ８タイプ用のＧ１０ｑ口金と略同様である。すなわち、それぞれ樹脂部材からなる第一の口金部材および第二の口金部材が環形発光管の管両端部を覆うように、管両端部を跨いで一体化して設けられている。一対の口金部材２３，２４はそれぞれ発光管の環形状に相応して湾曲された形状をなしており、特に一方の第一の口金部材２３には、発光管の前記４本のリード線がそれぞれ接続されるピン状の接続端子が設けられている。また、一対の口金部材は、ランプ組立において嵌合あるいはビス止めにより一体に組立てられている。
【０００５】
なお、上記Ｔ５タイプの環形蛍光ランプは、通常電子安定器により点灯される。
【０００６】
【発明が解決しようとする課題】
このような環形蛍光ランプにおいては、ランプ取り付けの際、排気管が破損し、ランプ不良に至るものが存在している。この原因を調査した結果、特にＴ５発光管のように細形化されているものにおいては、ランプを器具に取り付ける際、口金が発光管端部において、発光管周りに過度に回転（試験ランプにおいては最大約半回転）してしまうため、発光管端部のリード線が隣接する排気管に絡まり、排気管が破断応力を受けるためであることがわかった。
【０００７】
本発明は、器具への取り付けの際、過度に口金が回転することなく、リード線絡みによる排気管破損を防止することのできる環形蛍光ランプを得ることを目的とする。
【０００８】
【課題を解決するための手段】
本発明の環形蛍光ランプは、内部に一対の電極を有する環形発光管と、前記環形発光管の両端部を跨いで設けられた前記環形発光管の環形状に相応して湾曲した口金とを有する環形蛍光ランプにおいて、前記口金の回転範囲を所定角度に規定する手段として、前記環形発光管の端部の周面に、前記環形発光管の管軸と交差する方向に延び、かつ所定の長さで途切れた溝を有するとともに、前記口金の内面に凸部を有し、前記凸部が前記溝と嵌合して設けられた構成を有する。
【０００９】
これにより、口金が発光管周りに過度に回転しようとしても、溝と凸部とが接触し所定角度以上に回転することがなくなるので、器具等への取り付けの際、過度に口金が回転することを防止でき、リード線絡みによる排気管破損を防止することができる。
【００１０】
【発明の実施の形態】
図１に示すように本発明の第１の実施の形態である環形蛍光ランプ１は、管外径が１６ｍｍからなるＴ５タイプの環形蛍光ランプであり、発光管２は、直状ガラス管を環形にベンディング成形加工したガラス管からなり、管端部４，５にはガラスステム６，７がそれぞれ気密封着されている。
【００１１】
図１，図２，図３に示すように、発光管２の管端部４，５には、タングステンフィラメントコイル電極８，９を保持した一対のリード線１０ａ，１０ｂ，１１ａ（図示せず），１１ｂがそれぞれ気密封止され、外部リード線１０ｃ，１０ｄ，１１ｃ，１１ｄとして導出されている。
【００１２】
電極８，９が気密封止された発光管２の端部の少なくともいずれか、例えば管端部４には、発光管排気用で管外径４．４ｍｍの排気管１２（但し、排気でチップオフ後の長さ約８ｍｍ）が一対のリード線１０ｃ，１０ｄに隣接して設けられている。
【００１３】
管内表面の主要部には蛍光体１３が塗布され、管内には水銀１４と緩衝ガスとしてのアルゴン等の希ガス１５が封入されている。完成した環形蛍光ランプ１は、発光管２の管端部４，５を覆いかつ跨いで、いわゆるＧＺ１０ｑタイプのＴ５環形蛍光ランプ用の口金１６が装着されている。なお、口金１６は後述のように二つの口金部材が併合して形成されるが、図１においては口金１６の内部構造を説明するため一方の口金部材は図示していない。
【００１４】
現行Ｔ５タイプとしては、１３形、２０形、２７形、３４形及び４１形の５品種が市販されており、これらの環外径はそれぞれ１５１ｍｍ，２２５ｍｍ，２９９ｍｍ，３７３ｍｍおよび４４７ｍｍである。
【００１５】
発光管２の管端部４の外周面には、チャッキング溝とは別に、発光管２の管軸と交差する方向に長さ１２．５ｍｍ、深さ１．０ｍｍ、幅４．０ｍｍの途切れた溝３が形成されている。すなわち、溝３はいわゆるチャッキング用の溝２２とは異なり全周に渡って設けられていない。
【００１６】
口金１６は、図４，図５，図６に示すように、発光管２の管端部４，５を部分的に覆いかつ跨いで併合して設けられるよう、樹脂部材からなる第一の口金部材１７および第二の口金部材１８からなる。一対の口金部材１７，１８は発光管２の環形状に相応して湾曲された形状を有し、第一の口金部材１７には、発光管２のリード線１０ｃ，１０ｄ，１１ｃ，１１ｄが接続されるピン状の接続端子１９ａ，１９ｂ，２０ａ，２０ｂが設けられている。また第一の口金部材１７の内面には、発光管２の管端部４に設けられている溝３に嵌合されることによって、発光管２の端部に装着した口金１６が過度に回転するのを防止するための凸部２１が設けられている。
【００１７】
溝３は、発光管２の端部の外周長の４分の１の長さを有することが好ましく、この長さを採ることによって、例えば上下４５°、つまり９０°の範囲で口金の回転範囲を規制することができる。溝３の長さについては、本発明を用いる環形蛍光ランプのタイプによって異なるが、口金１６の回転によるリード線１０ｃ，１０ｄ，１１ｃ，１１ｄの排気管１２への絡まりを防止できる長さを考慮し適宜決定する必要がある。
【００１８】
口金１６の具体的な形状寸法（第一の口金部材および第二の口金部材を一体に組み立てたもの）は、内径１７ｍｍおよび外径１９ｍｍ、環外周長約５０ｍｍ、内周長約４１．５ｍｍとしている。ここで、口金１６の内径を発光管２の外径１６ｍｍに対して１７ｍｍと比較的大きく設定したのは、実際の環形蛍光ランプ１での管外径のばらつきに対して裕度を持たせるためである。そして、一対の口金部材１７，１８は、ランプ組立において嵌合あるいはビス止めにより併合され一体に組立てられている。
【００１９】
本実施形態にかかる口金１６の凸部２１として、例えば発光管端部４の周面に設けられた溝３が、長さ１２．５ｍｍ、深さ１．０ｍｍ、開口幅４ｍｍの三角形状の横断面をなして成形されている場合には、底辺幅６．０ｍｍで高さ１．２ｍｍの半球状をなすものを形成した。これにより、溝３と凸部２１とがストッパーの役目をして口金１６の発光管２周りの回転を回転角度で９０°以下に抑制でき、過剰に口金１６が回転してしまうことを防止でき、環形蛍光ランプ１のソケット取付時などにおける排気管破損を確実に防止できる。ここで、口金１６の回転を抑制できたのは、発光管端部４の溝３に嵌合する凸部２１が形成されたほかに、もともと口金１６を構成する一対の口金部材１７，１８が発光管２の環形状に相応して湾曲した形状を有しているからである。なお、口金１６は器具（図示せず）との適合性の問題で、ある程度裕度をもって回転することを要求されるため、凸部２１と溝３の寸法はそれを勘案する必要がある。したがって、本実施形態において、凸部２１と溝３との寸法が、きつくはまりこむ寸法であると当然ながら口金１６の裕度ある回転は防止されてしまうので、裕度を持った寸法を採用することが好ましい。
【００２０】
また、本実施形態においては、発光管端部４側の溝３に凸部２１が嵌合するようにしたが、他方の発光管端部５側に溝とこの溝に嵌合する凸部（図示せず）を嵌合するように形成してもよい。また、それぞれの端部において相対向する端部の周面位置に溝と凸部とを形成してもよい。
【００２１】
【発明の効果】
以上のように本発明によれば、器具等への取り付けの際、過度に口金が回転することを防止でき、このため、リード線絡みによる排気管破損を防止することのできる環形蛍光ランプを提供することができる。
【図面の簡単な説明】
【図１】本発明の第１の実施の形態である環形蛍光ランプの一部切欠正面図
【図２】同じく発光管端部の正面図
【図３】同じく発光管端部の一部切欠側面図
【図４】同じく第一の口金部材の正面図
【図５】同じく第二の口金部材の正面図
【図６】同じく発光管端部に口金が装着された構造を説明するための図
【図７】従来の口金部材の正面図
【図８】従来の口金部材の正面図
【符号の説明】
１　環形蛍光ランプ
２　発光管
３　溝
４，５　　発光管端部
１６　口金
１７　第一の口金部材
１８　第二の口金部材
２１　凸部
【図１】
2004039423.tif 000003
【図２】
2004039423.tif 000004
【図３】
2004039423.tif 000005
【図４】
2004039423.tif 000006
【図５】
2004039423.tif 000007
【図６】
2004039423.tif 000008
【図７】
2004039423.tif 000009
【図８】
2004039423.tif 000010